(57)【要約】【課題】      展示ケースからの商品の取り出しを防止する挿入部材の抜き取りや引き抜き取りを錠装置により防止する。【解決手段】  ケースＫの挿入路Ａに挿入する挿入部材Ｂと上記ケースを構成する箱体１及び蓋体２との係合関係により前記ケースの開放を阻止する形式や、ケースの挿入路に挿入する挿入部材のストッパにより上記ケースの周囲一面の開口を閉鎖する形式の展示ケースにおいて、第１傾動体２１の末端に弾性変形する連結板２２を介し連なる第２傾動体２３を設けて、上記挿入部材の側面に第１傾動体の末端部及び第２傾動体の上記連結板側の先端をそれぞれピン２４、２５を介し回動自在に取付け、上記第２傾動体の末端と上記挿入路と上記挿入部材の挿入終了にともない押し戻しが開放されて係止関係になる一方に係止爪２９、他方に係合部を設け、上記第１傾動体の先端及び末端に鉄片４１、４２を設けた構成を採用する。【選択図】図２
2008280084.tif 000002
【特許請求の範囲】
【請求項１】
ケースの挿入路に挿入する挿入部材と上記ケースを構成する箱体及び蓋体との係合関係により前記ケースの開放を阻止する形式や、ケースの挿入路に挿入する挿入部材のストッパにより上記ケースの周囲一面の開口を閉鎖する形式の展示ケースにおいて、第１傾動体の末端に弾性変形する連結板を介し連なる第２傾動体を設けて、上記挿入部材の側面に第１傾動体の末端部及び第２傾動体の上記連結板側の先端をそれぞれピンを介し回動自在に取付け、上記第２傾動体の末端と上記挿入路と上記挿入部材の挿入終了にともない押し戻しが開放されて係止関係になる一方に係止爪、他方に係合部を設け、上記第１傾動体の先端及び末端に鉄片を設けたことを特徴とする錠装置。
【発明の詳細な説明】
【技術分野】
【０００１】  この発明は、ケースの挿入路に挿入部材を挿入してケースの開放阻止にともなうケースからの収納商品の取り出しを防止し、又ケースの挿入路に挿入してある挿入部材のストッパによりケースの開口から収納商品の抜き取りを防止する形式の盗難防止で、顧客により挿入部材の抜き取りを防止する錠装置に関する。
【背景技術】
【０００２】  店内の棚に陳列したＤＶＤ等が盗難に遭わないように盗難防止機能を備えたＤＶＤ等の貸出しケースであって、貸出しケースは、本体ケースと本体ケースを閉じる蓋から成り、ケースの側面開口から警報装置が感知するタグシート等を有するロック板をロック板嵌入空間にスライドして貫入することで蓋が開かないように互いに噛み合ってロックする構造とし、ロック板の側縁にはケースから外側へ突出するツメを備え、又基部を中心として撓み変形する板バネを備えると共に、板バネには、ロックツメを設けてケースに形成した係止部に係止して外れないようにし、そして磁石によって板バネを引き寄せることでロックツメを係止部から解錠することで上記ツメを引いてロック板が抜取られることになっている。（特許文献１）。
【特許文献１】  特許第３４５９９９７号公報
【０００３】
【発明の開示】
【発明が解決しようとする課題】
【０００４】  ところで、特許文献１の構造のメーカーから出荷されている貸出しケースの開放阻止ロック板の抜取り防止の錠装置は、添付詳細の図１０、１１に示すように、ケースＫを構成するケース本体１０１及びケース本体１０１を閉じる蓋１０２の側面開口１０３からロック板Ｌを嵌入空間に嵌入して、嵌入にともない互いに噛み合って閉鎖維持のロックを行なう。【０００５】  このとき、ロック板Ｌに設けてある複数の係止部１０４がケースＫ内に設けてある係合部１０５に係止関係になって、顧客によるロック板Ｌの抜取りが阻止され、ケースＫの閉鎖維持を保つ。【０００６】  そして、ショップ側の解錠具を用いて上述の係合部１０５に対する係止部１０４の係止関係を解錠して、ロック板Ｌを引き抜くようにしてある。【０００７】  上記の係止部１０４は、合成樹脂製のロック板Ｌの成形の際、薄肉のヒンジ部１０６から連なって互いに対向方向（図示前後）に延びる揺動体１０７、１０８の先端に設けてあり、中間を支軸１０９により支持した中間揺動体１１０の一端が一方の揺動体１０７の係止部１０４の上面に重なり、中間揺動体１１０の他端が他方の揺動体１０８の係止部１０４の直上に位置するよう組み込んである。【０００８】  そして、それぞれの揺動体１０７、１０８、中間揺動体１１０に設けてある鉄片１１１、１１２、１１３をショップ側の解錠具の磁石で磁吸すると、揺動体１０７の上昇方向の揺動にともない係止部１０４と係合部１０５との係止関係がなくなり、揺動体１０８の上昇方向の揺動にともない係止部１０４と係合部１０５との係止関係がなくなる。【０００９】  一方鉄片１１２を有する中間揺動体１１０は、磁吸による揺動角度が大きくなると、揺動体１０８の係止部１０４に中間揺動体１１０の端が当接する。【００１０】  すると、揺動体１０８の係止部１０４と係合部１０５との係止関係を解除できないため、ロック板Ｌの引き抜きができなくなる。【００１１】  すなわち、鉄片１１２の磁吸にともなう中間揺動体１１０の揺動角が小さいとき、ロック板Ｌの抜取りが可能なように考慮してある。【００１２】  上記のような錠構造によると、中間揺動体の支点の位置に若干の狂いがあると、スムーズな解錠操作ができず、組み付けに手数がかかる問題があった。【００１３】  勿論、中間揺動体に対する鉄片の固着位置にも細心の注意が必要になる問題もあった。【００１４】  特に取付ける際の中間揺動体の両端の向きがかわると、誤作動の発生原因になる。すなわち、不良品となり、又ロック板の両側の狭い空間に中間揺動体を組み込むので、組み込み作業が大変であった。そして、各揺動体１０７、１０８、１１０に対する鉄片１１１、１１２、１１３の取付けも、各揺動体１０７、１０８、１１０の上面に設けてある凹入部にそれぞれ鉄片１１１、１１２、１１３の下縁を嵌込し、嵌込後に上縁にハンマで打撃を加えながら（必要に応じ嵌込部分に接着剤を流入、塗布して）打ち込むので、著しく手数がかかると共に、大幅なコストアップになる。【００１５】  そこで、この発明は、組み付けが極めて容易になるようにした錠装置を提供することにある。
【課題を解決するための手段】
【００１６】  上記のような課題を解決するために、この発明は、ケースの挿入路に挿入する挿入部材と上記ケースを構成する箱体及び蓋体との係合関係により前記ケースの開放を阻止する形式や、ケースの挿入路に挿入する挿入部材のストッパにより上記ケースの周囲一面の開口を閉鎖する形式の展示ケースにおいて、第１傾動体の末端に弾性変形する連結板を介し連なる第２傾動体を設けて、上記挿入部材の側面に第１傾動体の末端部及び第２傾動体の上記連結板側の先端をそれぞれピンを介し回動自在に取付け、上記第２傾動体の末端と上記挿入路と上記挿入部材の挿入終了にともない押し戻しが開放されて係止関係になる一方に係止爪、他方に係合部を設け、上記第１傾動体の先端及び末端に鉄片を設けた構成を採用する。【００１７】  すると、挿入部材にピンを介し連結板を介し連なる第１傾動体及び第２傾動体を傾動自在に取付けるので、錠装置の組み付けが極めて簡単にできる。
【発明の効果】
【００１８】  以上のように、この発明の錠装置によれば、第１傾動体に弾性変形する連結板を介し係止関係になる係止爪或いは係合部を有する第２傾動体を連成して、挿入部材の側面にピンを介し第１傾動体の途中及び第２傾動体の先端をそれぞれ回動自在に取付けるので、挿入部材に対する錠装置の組み付け作業が極めて容易になる。【００１９】  また、ショップ側の解錠具の磁石を用いて第１傾動体の先端の鉄片を磁吸することで、連結板を介し第２傾動体の末端を上昇させて係止爪と係合部との係止関係をスムーズに解除することができる。【００２０】  なお、挿入部材の挿入にともない係合部に対し係止爪が連結板を弾性変形させて乗りこえるので、挿入部材のスムーズな挿入ができる。【００２１】  また、第１傾動体の末端に鉄片を設けてあるので、ショップ以外による解錠を顧客により磁石を用いて行なった場合、第１傾動体の末端の鉄片の磁吸により連結板を介し第２傾動体の末端を降送する。【００２２】  このため、係止爪と係合部との係合関係が維持されて、解錠をできなくする効果がある。
【発明を実施するための最良の形態】
【００２３】  以下、この発明の実施の形態を添付図面に基づいて説明する。【００２４】  この発明の実施形態では、図１から図６にケースＫの挿入路Ａに挿入する挿入部材ＢによってケースＫを構成する箱体１と蓋体２との係合関係によりケースＫの開放を阻止する（開放阻止によってケースＫに収納してある商品Ｘ、図示のディスクに限定されず、ビデオテープやゲームソフト、マンガなどの貸し出し商品や販売商品の取り出しを防止する）形式の展示ケースや図８、９に示すようにケースＫ’の挿入路Ａに挿入する挿入部材Ｂの挿入方向の反対側のストッパ３によりケースＫ’の周囲一面の開口４を閉鎖して、この閉鎖により開口４から収納してある商品Ｘ、図示の場合、ディスクを収納してある収納ケースの抜き取りを防止する形式の展示ケースに関する。【００２５】  上記ケースＫの挿入部材ＢによってケースＫの開放を阻止する方式としては、図示の場合（特許第３４５９９９７公報の図面と同様に）、ケースＫの箱体１と蓋体２との外と内とで重なる周壁５、５の一側辺の上縁から下方途中迄に切欠して挿入口６を設けて、この挿入口６に挿入部材Ａを挿入する。【００２６】  すると、箱体１の上辺の周壁５の内面の７字状の係止突片７（図示の場合周壁５の一部分から突出させたが、全長など必要な部分から突出させて設けることもある）に挿入部材Ｂの片方側壁Ｂ’の上縁が嵌り込んで係止関係になり、また蓋体２の内面上部の筒状部８に挿入部材Ｂの挿入方向に突出する嵌入部材１６の先端部が嵌入してケースＫの開放を阻止する以外に、ケースＫの箱体１と蓋体２との上辺内と外とで重なる周壁５、５の挿入口６寄りの両コ字状の切欠き９、９に挿入部材Ｂの挿入方向の反対側末端部の上面から上方に突出するツノ１０が嵌入して、嵌入にともなう係止関係により開放阻止をはかる以外に、挿入部材Ｂの末端の側縁から突出する抱き込み片１１が箱体１に外接（抱き込んで）して更に開放阻止をはかるようにしてあるが、限定されず、挿入部材Ｂの挿入によって箱体１と蓋体２とのヒンジ１２を支点した開放阻止の係止関係になるその他の構造のものを採用することもある。【００２７】  また、上記以外の展示ケースＫ’としては、図８、９に（例えば、特願２００３−２９０９００号）示すように、ケースＫ’周囲一面の開口４を、ケースＫ’の上辺壁１３と、この上辺壁１３の下側（裏側）の仕切壁１４とで開口４から開口４の反対方向に向けて形成してある挿入路Ａに挿入部材Ｂを挿入して、挿入部材Ｂの挿入方向の末端のストッパ３によって開口４の一部を閉鎖することで、ケースＫ’に収納してある商品Ｘの抜取りを防止する。【００２８】  次に錠装置の部品として、第１傾動体２１の末端に弾性変形する連結板２２を介し第２傾動体２３の先端を連結して設ける。【００２９】  上記の連結板２２を介し連なる第１傾動体２１及び第２傾動体２２は、図示の場合合成樹脂により一体成形により設けたが、限定されず、板バネや合成樹脂製などの薄肉の弾性変形する連結板２２の両端に第１傾動体２１及び第２傾動体２３を連結（接続）してもよい。【００３０】  そして、挿入部材Ｂの側面に第１傾動体２１の末端部（中途）及び第２傾動体２３の先端部をそれぞれピン２４、２５を介し回��自在に取付ける。【００３１】  上記の取付けは、図示のように挿入部材Ｂの片方の側面の取付け部分を盗み部２６により開放させておくと、取付け作業が極めて容易になる。ただし、盗み部２６の有無は、限定されない。【００３２】  なお、第１傾動体２１の傾動にともないピン２４の貫通孔２７を長孔にして、連結板２２の変形傾動により第２傾動体２３に傾動をスムーズに伝達するようにしてあるが限定されず、連結板２２の変形により第２傾動体２３に傾動を伝達するようにしてもよい。勿論、ピン２４、２５による回動自在な取付けもピン２４、２５の貫通方式にかえて、第１傾動体２１、第２傾動体２３の側面から突出するピン（図示省略）を挿入部材Ｂに回動自在に支持させてもよい。【００３３】  そして、第２傾動体２３の末端と挿入路Ａとには（両対向面には）、挿入部材Ｂの挿入にともない押し戻され、挿入部材Ｂの挿入終了時に係止関係になる一方に係止爪２９が、他方に係合部３０が設けてある。【００３４】  上記の係合部３０は、図示の場合連続する鋸歯状に設けたが、限定されず、突起などであってもよい。【００３５】  なお、図示のように、挿入部材Ｂに成形の際、一体に薄肉の連結部３１を介し傾動体３２を設け、この傾動体３２と挿入路Ａとに（対向面）、上述の同様の係止爪３３と係合部３４とを設けたが、限定されず必要に応じ、すなわち解錠方式を複雑にするためで設けないこともある。【００３６】  さらに、傾動体２１の先端及び末端の上面に鉄片４１、４２を設けておく。【００３７】  鉄片４１を設ける要因は、ショップ側の解錠具５１を用いて（図７に示す）磁石５２により鉄片４１を磁吸すると、ピン２４を支点として図７時計方向に第１傾動体２１が傾動する。【００３８】  すると、連結板２２を介し第２傾動体２３をピン２５を支点として図７反時計方向に傾動させて、図７に示すように係合部３０から係止爪２９が外れて係止関係を解除するので、図７右方向に解錠具５１をスライドすると、ツノ１０が解錠具５１に引っかかってケースＫ、Ｋ’から挿入部材Ｂの引抜きができる。【００３９】  なお、傾動体３２を並設してある場合は、解錠具５１の磁石５３によって鉄片４３を磁吸して、図７に示すように係合部３４から係止爪３３の係止関係を解除する。【００４０】  顧客の携行した磁石によって鉄片４２を磁吸すると、連結板２２を介し第２傾動体２３を図４時計方向に傾動するので、係止爪２９と係合部３０と係止関係が解除されず、盗難防止に効果を発揮する。両鉄片４１、４２を磁吸すると解錠することができない。【００４１】  また、図３に示すように、挿入部材Ｂの表面の露出しない位置に盗難防止タグＣを設けておくと、ショップからケースＫ、Ｋ’の無断な持ち出しを検出する。【００４２】  上記のタグＣは、例えば特許第３５６５１６２号公報に示すように、固有のＩＤコードをもち、ショップの出入口を通過の際上記ＩＤコードの共振回路が共振して固有のＩＤコードの発信にともない高周波電磁界を変調させるものなどを使用する。【００４３】  なお、上記連結板２２を有する第１傾動体２１及び第２傾動体２３の使用数は、単数、複数決定すればよい。【００４４】  また、各鉄片４１、４２、４３は、金属製のビスをねじ込���で取付けたり、穴に金属製の短い軸を打ち込んだり金属片を接着剤を介し取付けるなどの方法で設ける。【００４５】  図中６１はガイドである。６２は解錠具５１の引っかかり片である。なお、ケースＫ、Ｋ’に対する挿入部材Ｂの方向は、ケースＫ、Ｋ’によって決定すればよい。
【図面の簡単な説明】
【００４６】
【図１】    この発明のケースを示す斜視図
【図２】    同ケースと挿入部材を示す分解斜視図
【図３】    挿入部材の拡大側面図
【図４】    ケースに挿入部材を挿入した一部切欠拡大側面図
【図５】    同上の縦断背面図
【図６】    同縦断背面図
【図７】    解錠の状態を示す縦断側面図
【図８】    他のケースを示す分解斜視図
【図９】    同縦断拡大側面図
【図１０】    従来品を示す縦断側面図
【図１１】    同上のロック板を示す斜視図
【符号の説明】
【００４７】Ａ              挿入路
Ｂ              挿入部材
Ｃ              盗難防止タグ
Ｋ、Ｋ’        ケース
Ｘ              商品
１              箱体
２              蓋体
３              ストッパ
４              開口
５              周壁
６              挿入口
７              突片
９              切欠き
１０            ツノ
１１            抱き込み片
１２            ヒンジ
１３            上辺壁
１４            辺壁
１６            嵌入部材
２１            第１傾動体
２２            連結板
２３            第２傾動体
２４、２５      ピン
２６            盗み部
２７            貫通孔
２９            係止爪
３０            係合部
３１            連結部
３２            傾動体
３３            係止爪
３４            係合部
４１、４２、４３鉄片
【図１】
2008280084.tif 000003
【図２】
2008280084.tif 000004
【図３】
2008280084.tif 000005
【図４】
2008280084.tif 000006
【図５】
2008280084.tif 000007
【図６】
2008280084.tif 000008
【図７】
2008280084.tif 000009
【図８】
2008280084.tif 000010
【図９】
2008280084.tif 000011
【図１０】
2008280084.tif 000012
【図１１】
2008280084.tif 000013